(57)【要約】      （修正有）【課題】ばねアームが外へ曲がることを防止できるコンセント装置の提供。【解決手段】ガイド部３４５が貫通溝１２２に収納されている状態では、電子素子５が端子２により上向きに押されても、ガイド部３４５は上方に移動しないので、電子素子５が上方に浮き上がることを防止することができ、端子２と電子素子５の接触圧を高く保持することができ、電気的接触状態を良好に保つことができる。また、ガイド部３４５は、貫通溝１２２の内部の上壁に押し付けられており、ガイド部３４５と貫通溝１２２の内部の上壁との摩擦力が強くなるので、ガイド部３４５が貫通溝１２２から抜けにくくなり、ばねアーム３４１が外へ曲がることを防止することができる。ガイド部３４５により、ばねアーム３４１を電子素子５に安定的に係止できるため、電子製品が不注意で落とされた時に発生する瞬間の反動力によって電子素子５がコンセント装置から飛ばされることを避けることができる。【選択図】図２
0003122018.tif 000002
【実用新案登録請求の範囲】
【請求項１】
電子機器の回路基板に取付けられ、且つ、電子素子を収納するためのコンセント装置であって、
電子素子を収納するための収納空間を有し、その両側片に、水平である貫通溝がそれぞれ形成された絶縁本体と、
前記絶縁本体の収納空間内に設置され、前記電子素子と電気的に接触するための複数の端子と、
前記絶縁本体の周縁を覆い且つ固定され、両側には、一つのばねアームがそれぞれ形成され、該ばねアームには、その天井部から前記収納空間へ延び、電子素子を抑えるための抑え部と、その自由端から横方向に前記収納空間に延び、前記絶縁本体の貫通溝内に摺動自在に収納されたガイド部とがそれぞれ形成されているホールドケースとを含み、
これにより、ばねアームが外へ曲がることを防止し、しかも電子素子が浮き上がるのを防止することができることを特徴とするコンセント装置。
【請求項２】
さらに、電子素子を露出させるための開口が形成された四角形の天井板と、該天井板の四つの縁部から下へ延びる四つの側板とを有し、ホールドケースの周縁を覆うカバーケースを含むことを特徴とする請求項１に記載のコンセント装置。
【請求項３】
前記カバーケースに複数の着脱防止孔が形成され、前記ホールドケースにこれらの着脱防止孔に対応して複数の外へ向いた着脱防止片が形成されることを特徴とする請求項２に記載のコンセント装置。
【請求項４】
前記カバーケースの前記側板が別々であり、且つ、係止鈎及び係止孔により互いに係合されることを特徴とする請求項２に記載のコンセント装置。
【請求項５】
前記絶縁本体の内側に定位溝を設け、前記電子素子の一側に該定位溝に対応する定位ブロックが突出するように形成されることを特徴とする請求項１に記載のコンセント装置。
【請求項６】
前記絶縁本体の両側片には、それぞれ外へ向けて、少なくとも前記ガイド部を案内する斜め案内面が形成され、該斜め案内面が前記貫通溝の上方に対応して位置されることを特徴とする請求項１に記載のコンセント装置。
【請求項７】
前記絶縁本体の内側面には、複数の端子固定溝と、下盤に位置し前記端子固定溝に連通した端子貫通溝がそれぞれ形成されることを特徴とする請求項１に記載のコンセント装置。
【請求項８】
前記各端子は、前記絶縁本体の固定溝内に固定された固定部と、該固定部から下へ延び且つ前記絶縁本体の端子貫通溝を貫通し、回路基板に電気的に接続される溶接部と、前記固定部から前記収納空間へ延びて前記電子素子を押出する接触部とをそれぞれ含むことを特徴とする請求項７に記載のコンセント装置。
【請求項９】
前記ホールドケースは、それぞれＵ字形である一対の半ホールドケースからなり、該半ホールドケースは、主体壁と、該主体壁の両側に位置する一対の側壁をそれぞれ有し、該半ホールドケースのこれらの側壁が、横方向スリットと、該横方向スリットの上方に位置するばねアームと、該横方向スリットの下方に位置するホールドアームとをそれぞれ備えることを特徴とする請求項１に記載のコンセント装置。
【請求項１０】
前記横方向スリットが、前記半ホールドケースの主体壁と該半ホールドケースの側壁の接続箇所にまで延びていることを特徴とする請求項９に記載のコンセント装置。
【請求項１１】
前記ばねアームの幅が、その自由端から主体壁に向かって拡大され、前記ホールドアームの幅がその自由端から主体壁に向かって縮小されていることを特徴とする請求項９に記載のコンセント装置。
【請求項１２】
前記半ホールドケースには、複数の係止孔がそれぞれ形成され、前記絶縁本体には、前記係止孔に対応する複数の係止ブロックがそれぞれ形成されることを特徴とする請求項９に記載のコンセント装置。
【請求項１３】
前記半ホールドケースの主体壁には、それぞれその天井部からその収納空間へ向けた取付部が形成され、前記絶縁本体には、それぞれ前記取付部に対応して、前記絶縁本体に固定させるため、その天井面から下へ凹む取付溝が形成されることを特徴とする請求項９に記載のコンセント装置。
【考案の詳細な説明】
【技術分野】
【０００１】
本考案は、コンセント装置に係り、特に、ＩＣモジュールを内蔵し且つ電子製品の回路基板と電気的に接続されるコンセント装置を指すものである。
【背景技術】
【０００２】
電子技術の快速な発展のため、多くの電子製品が通常、電子素子、例えば、ＩＣモジュールやカメラモジュールを配置している。電子製品において電子素子をホールディングするコンセント装置（又は、電気コネクタ）が続々と設計され、多くの試練にも直面している。特に、携帯式の電子製品は、時々落とされ故障の原因になり易い。
【考案の開示】
【考案が解決しようとする課題】
【０００３】
電子製品がより牢固且つ耐用となるため、上記コンセント装置は、通常、絶縁本体と、該絶縁本体上に固定されたカバーケースとを有し、前記絶縁本体と前記カバーケースとが、上記電子素子を収納する収納チャンバーを形成している。従来の技術では、例えば、台湾特許Ｍ２８２３７５号の電気コネクタがある。上記従来の技術では、主に、カバーケースの側壁に、収納チャンバー内へ斜め上方向に伸び出してばね片を形成し、該ばね片を下方向へ延出して電子素子に当接する当接部を形成し、電子素子をその内部にホールディングしている。
【０００４】
しかしながら、上記従来の技術は、以下の欠点がある。
一、前記コンセント装置の体積が小さく、前記ばね片が組立て時に外へ拡開した状態で電子素子を絶縁本体内に組み込む必要があるため、該ばね片が歪曲（twist）変形し易く、弾性が失われてしまう。
二、電子製品が不用意に落とされた時に、瞬間的な衝撃力による極大の反動力が該電子素子に作用し、電子素子がばね片から脱落し易く、電子製品の故障の原因となる。
三、また、上記カバーケースが一体成形であり、且つばね片が内部へ延出されなければならないため、押し抜きのプロセスでは、製造工程が面倒且つ困難である。
【０００５】
以上のように、上記従来のコンセント装置には、実際の応用上明らかな不便や欠点が存在しており、改善すべきである。
【０００６】
そのため、本考案者は、前記欠点を改良するため、長年以来この領域で積み立てた経験により、専念な観察かつ研究をし、さらに学術理論の運用に合せ、やっと合理な設計且つ前記の欠点を有効に改良できた本考案を提案した。
【課題を解決するための手段】
【０００７】
本考案の主な目的は、組立過程中に変形が発生するのを避けることができ、且つ、電子製品を不用意に落とした場合でも、電子素子をコンセント装置内に安定的に固定することができ、よって、電子製品の安定性及び耐用性を向上できるコンセント装置を供給することにある。
【０００８】
本考案のもう一つの目的は、製造し易い金属ケースを供給し、製造困難度を低下させたコンセント装置を供給することにある。
【０００９】
前記主な目的を達成するために、本考案のコンセント装置は、電子製品の回路基板に取付けられ電子素子を収納するものであって、絶縁本体と、複数の端子と、ホールドケースとを含む。前記絶縁本体は、電子素子を収納するための収納空間を有し、その両側片に、少なくとも水平である貫通溝がそれぞれ形成され、前記複数の端子は、前記絶縁本体の収納空間内に設置され前記電子素子と電気的に接触し、前記ホールドケースは、前記絶縁本体の周縁を覆い且つ固定され、その両側には、少なくとも一つのばねアームがそれぞれ形成され、該ばねアームには、その天井部から該収納空間へ延び前記電子素子を抑えるための抑え部と、その自由端から横方向に該収納空間に延び、前記絶縁本体の貫通溝内に摺動自在に収納されるガイド部とがそれぞれ形成され、これにより、該ばねアームが外へ曲がることを防止する。
【００１０】
前記のもう一つの目的を達成するため、本考案のコンセント装置は、前記ホールドケースが、それぞれＵ字形である一対の半ホールドケースからなり、該半ホールドケースが、主体壁と、該主体壁の両側に位置する一対の側壁をそれぞれ有し、該半ホールドケースのこれらの側壁が、横方向スリットと、該横方向スリットの上方に位置するばねアームと、該横方向スリットの下方に位置するホールドアームとをそれぞれ備える。
【００１１】
以下に、添付図面を参照しながら本発明に好ましい実施例を詳しく説明するが、本考案の特徴及び技術内容を深く且つ具体的な理解できるが、それらの添付図面が参考及び説明のみに使われ、本発明の主張範囲を狭義的に局限するものではないことは言うまでもないことである。
【考案を実施するための最良の形態】
【００１２】
図１及び図２は、本考案のコンセント装置の分解斜視図である。図１及び図２を参照しながら説明すると、本考案のコンセント装置は、電子製品の回路基板（図示せず）に取付けられ、且つ、電子素子５を収納するためのコンセント装置である。本実施例では、電子素子５として、台座部５１及びカメラガン部５２を含むカメラモジュールに適応される。このコンセント装置は、絶縁本体１と、複数の端子２と、ホールドケース３と、カバーケース４とを含む。
【００１３】
絶縁本体１は、下盤１１及び四つの接続用の側壁１２ａ、１２ｂ、１２ｃ、１２ｄを有し、これらがともに電子素子５を収納するための収納空間１０を区画している。該絶縁本体１のうち互いに対向する側壁１２ａ、１２ｂには、それぞれ、少なくとも水平である貫通溝１２２が形成されている。すなわち、本実施例では、該側壁１２ａ、１２ｂがそれぞれ一対の貫通溝１２２を備える。
【００１４】
複数の端子２は、絶縁本体１の収納空間１０内に設置され、上記の電子素子５と電気的に接触することによって、電子素子５の信号を電子機器の回路基板に伝送する。
【００１５】
これらの端子２を収納するため、絶縁本体１の内側面には、複数の端子固定溝１２７と、下盤１１に位置し端子固定溝１２７に連通した端子貫通溝１１２がそれぞれ設けられる。これらの端子２は、絶縁本体１の固定溝１２７内に固定される固定部２２と、該固定部２２から下へ延び且つ絶縁本体１の端子貫通溝１１２を貫通し、回路基板に電気的に接続される溶接部２４と、固定部２２から収納空間１０へ延びて電子素子５を押出する接触部２６とをそれぞれ含む。
【００１６】
図３及び図４は、本考案のコンセント装置（カバーケースを除く）の斜視組立図である。図３及び図４を併せて参照すると、本考案は、主に、ホールドケース３が、絶縁本体１の周縁を覆い且つ固定され、ホールドケース３の両側には、少なくとも一つのばねアーム３４１がそれぞれ形成され、該ばねアーム３４１には、その天井部から収納空間１０へ延び電子素子５を抑え付ける抑え部３４３と、その自由端から横方向に収納空間１０に延び、且つ、絶縁本体１の貫通溝１２２内に摺動自在に収納されるガイド部３４５とがそれぞれ形成されていることを特徴とする。
【００１７】
該ホールドケース３は、四角形の金属フレームでもよい。本考案の好ましい実施例では、ホールドケース３が、それぞれＵ字形である一対の半ホールドケース３ａ、３ｂからなることが好ましい。この場合、製造上において押し抜きにより抑え部３４３及びガイド部３４５を形成し易いと共に、ホールドケース３をより組立て易くなる。
【００１８】
図１及び図４を参照すると、半ホールドケース３ａ、３ｂは、主体壁３２と、該主体壁３２の両側に位置する一対の側壁３４ａ、３４ｂとをそれぞれ有する。該半ホールドケース３ａ、３ｂのこれらの側壁３４ａ、３４ｂは、横方向スリット３４０と、該横方向スリット３４０の上方に位置するばねアーム３４１と、該横方向スリット３４０の下方に位置するホールドアーム３４２とをそれぞれ備える。半ホールドケース３ａ、３ｂそれぞれが、抑え部３４３及びガイド部３４５を有し、電子素子５の四つの角隅に位置する凹溝５１２を安定的に抑え付けている。
【００１９】
図５及び図６は、本考案のコンセント装置の電子素子を収納してない状態並びに電子素子を収納している状態両方の斜視組立図である。図５及び図６を参照すると、本考案では、カバーケース４は、ホールドケース３の周縁を覆い、且つ、四角形の天井板４２と、該天井板４２の四つの縁部から下へ延びる四つの側板４４ａ、４４ｂ、４４ｃ、４４ｄとを含み、天井板４２に電子素子５を露出させるための開口４２０が形成されている。また、カバーケース４に複数の着脱防止孔４４２が形成され、ホールドケース３にこれらの着脱防止孔４４２に対応する外向きの複数の着脱防止片３２６が形成されている。よって、カバーケース４も、電子素子５をコンセント装置内に固定することができる。この貫通孔４２２は、カバーケース４を絶縁本体１に取り付ける際、カバーケース４の向きを確認するための目印となる。
【００２０】
本考案では、カバーケース４のこれらの側板４４ａ、４４ｂ、４４ｃ、４４ｄが別々であり、係止鈎４４４及び係止孔４４６により互いに係合されている。本実施例では、側板４４ａ、４４ｂには、一対の係止孔４４６がそれぞれ形成され、且つ、側板４４ｃ、４４ｄはその両側縁部から一対の係止鈎４４４が延出され側板４４ａ、４４ｂの一対の係止孔４４６に係合している。よって、カバーケース４をホールドケース３の周縁に取り付ける時に、カバーケース４のこれらの側板４４ａ、４４ｂ、４４ｃ、４４ｄが、ある程度の組立て用のマージンスペースを供給できる。
【００２１】
図１を参照すると、誤った方向で電子素子５を絶縁本体１内に組み入れることを防止するために、本実施例では、絶縁本体１の内側に定位溝１２１を設け、電子素子５の一側には定位溝１２１に対応する定位ブロック５１１が外へ突出するように形成されている。図１に示すように（図９も参照のこと）、絶縁本体１の側壁１２ｄに定位溝１２１が形成されている。電子素子５と絶縁本体１との間の方向（orientation）が間違っていると、電子素子５を絶縁本体１内に組み入れることができない。
【００２２】
組立を便利にするために、絶縁本体１の両側片には、それぞれ外向きに、少なくともガイド部３４５を案内する斜め案内面１２４が形成され、該斜め案内面１２４は該貫通溝１２２の上方に対応して位置している。よって、半ホールドケース３ａ、３ｂを絶縁本体１に取り付ける時に、半ホールドケース３ａ、３ｂのばねアーム３４１が、ガイド部３４５により斜め案内面１２４に沿って外へ押し開かれ、その後に、ガイド部３４５が絶縁本体１の貫通溝１２２内に進入する。
【００２３】
図３及び図４を参照すると、好ましい実施例では、横方向スリット３４０が、半ホールドケース３ａ、３ｂの主体壁３２及び半ホールドケース３ａ、３ｂの側壁３４ａ、３４ｂの接続箇所にまで延出される。実験によれば、横方向スリット３４０が短いほど、その剛性が大きく弾性が不足し、組立し難くなり、横方向スリット３４０がこの長さを超えると、弾性力が不足し、半ホールドケース構造が壊れ易い。
【００２４】
さらに、本実施例では、ばねアーム３４１の根元の幅が、その自由端の幅よりも広く構成されていると共に、ホールドアーム３４２の根元の幅が、その自由端の幅よりも狭くなるように構成されていることを特徴としている。よって、半ホールドケース３ａ、３ｂが、比較的大きい面積をホールドアーム３４２の先端部に確保することができ、係合孔３４４をそれぞれ形成することができる。係合孔３４４は絶縁本体１の側片に形成されている係合ブロック１２６に対応しており、半ホールドケース３ａ、３ｂと絶縁本体１との固定力を増加させる。また、ばねアーム３４１の根元の幅を広くすることができ、ばねアーム３４１の弾性力を強くすることができるので、ばねアーム３４１が外に曲がりにくくなる。この場合、ホールドアーム３４２の根元の幅は狭くなるが、ホールドアーム３４２の根元に半田付け端子を設ければ、回路基板に半田付けした際、ホールドアーム３４２を補強することもできる。さらに、この半田付け端子を接地端子として使用することによってシールド効果も期待できる。
【００２５】
ホールドケース３を絶縁本体１に安定的に固定するため、半ホールドケース３ａ、３ｂは、それぞれ両係止孔３２４が主体壁３２の上に形成され、係止孔３４４が側壁３２ａ、３２ｂの上に形成され、絶縁本体１の側片には、係止孔３２４、３４４に対応する複数の係止ブロック１２５、１２６がそれぞれ形成される。
【００２６】
図７は、本考案のコンセント装置の平面図であり、図８は図７の８−８線での断面図である。図７及び図８を参照すると、半ホールドケース３ａ、３ｂの主体壁３２には、それぞれその天井部からその収納空間１０へ向けて取付部３２２が形成され、取付部３２２の両端は干渉用の突出構造をそれぞれ有している。絶縁本体１には、それぞれ取付部３２２に対応して、取付部３２２を絶縁本体１に固定するために、その天井面から下へ凹む取付溝１２３が形成されている。
【００２７】
図９は、本考案のコンセント装置（カバーケースは含まない）の平面図であり、図１０及び図１１は、それぞれ、図９の１０−１０線、１１−１１線での断面図である。図９〜図１１を参照すると、本考案は、電子素子５をコンセント装置内に抑えるためのばねアーム３４１の抑え部３４３を供給するだけでなく、それ以外にも、ばねアーム３４１は、前記絶縁本体１内に摺動自在に通過できるガイド部３４５を備えている。よって、該ガイド部３４５が貫通溝１２２に収納されている状態では、電子素子５が端子２により上向きに押されても、ガイド部３４５は上方に移動しないので、電子素子５が上方に浮き上がることを防止することができ、端子２と電子素子５の接触圧を高く保持することができ、電気的接触状態を良好に保つことができる。また、ガイド部３４５は、貫通溝１２２の内部の上壁に押し付けられており、ガイド部３４５と貫通溝１２２の内部の上壁との摩擦力が強くなるので、ガイド部３４５が貫通溝１２２から抜けにくくなり、ばねアーム３４１が外へ曲がることを防止することができる。ガイド部３４５により、ばねアーム３４１を電子素子５に安定的に係止できるため、電子製品が不注意で落とされた時に発生する瞬間の反動力によって電子素子５がコンセント装置から飛ばされることを避けることができる。
【００２８】
それ以外にも、本実施例では、抑え部３４３の先端の幅を細くし、根元側に向かって徐々に幅が太くなるように構成しているので、電子素子５から受ける力による内部応力の集中を防止することができる。
【００２９】
前記の説明は、単に本考案の好ましい実施例に過ぎなく、本考案の特許請求の範囲を制限するものではなく、当該分野における通常の知識を有する専門家が本発明の分野の中で、適当に変更や修飾などを実施できるが、それらの実施が本考案の主張範囲内に含まれるべきことは言うまでもないことである。
【図面の簡単な説明】
【００３０】
【図１】図１は、本考案のコンセント装置の分解斜視図である。
【図２】図２は、本考案のコンセント装置のもう一つの角度の分解斜視図である。
【図３】図３は、本考案のコンセント装置（カバーケースを除く）の斜視組立図である。
【図４】図４は、本考案のコンセント装置（カバーケースを除く）のもう一つの角度の斜視組立図である。
【図５】図５は、本考案のコンセント装置の電子素子を収納してないときの斜視組立図である。
【図６】図６は、本考案のコンセント装置の電子素子を収納しているときの斜視組立図である。
【図７】図７は、本考案のコンセント装置の平面図である
【図８】図８は、本考案の図７の８−８線での断面図である。
【図９】図９は、本考案のコンセント装置（カバーケースを除く）の平面図である。
【図１０】図１０は、本考案の図９の１０−１０線での断面図である。
【図１１】図１１は、本考案の図９の１１−１１線での断面図である。
【符号の説明】
【００３１】
５  電子素子
５１  台座部
５２  カメラガン部
１  絶縁本体
２  端子
３  ホールドケース
４  カバーケース
１１  下盤
１２ａ、１２ｂ、１２ｃ、１２ｄ  側壁
１２２  貫通溝
１０  収納空間
１２７  端子固定溝
１１２  端子貫通溝
１２７  固定溝
２２  固定部
２４  溶接部
２６  接触部
３４１  ばねアーム
３４２  ホールドアーム
３４３  抑え部
３４５  ガイド部
３ａ、３ｂ  半ホールドケース
３２  主体壁
３４ａ、３４ｂ  側壁
３４０  横方向スリット
３４１  ばねアーム
４２  天井板
４４ａ、４４ｂ、４４ｃ、４４ｄ  側板
４２０  開口
４２２  貫通孔
４４２  着脱防止孔
３２６  着脱防止片
４４４  係止鈎
４４６  係止孔
１２１  定位溝
５１１  定位ブロック
５１２  凹溝
１２４  斜め案内面
３４４  係合孔
１２５、１２６  係合ブロック
３２２  取付部
３２４  係止孔
３４４  係止孔
１２３  取付溝
【図１】
0003122018.tif 000003
【図２】
0003122018.tif 000004
【図３】
0003122018.tif 000005
【図４】
0003122018.tif 000006
【図５】
0003122018.tif 000007
【図６】
0003122018.tif 000008
【図７】
0003122018.tif 000009
【図８】
0003122018.tif 000010
【図９】
0003122018.tif 000011
【図１０】
0003122018.tif 000012
【図１１】
0003122018.tif 000013